(57)【要約】【課題】プレート押圧体が浮き上がらず、プレートの摺動がスムーズに行われるスライドゲート用プレートの取付け装置を提供すること。【解決手段】耐火物プレート４が収納されるプレート収納枠体１１と、プレート収納枠体１１内に配置されて耐火物プレート４をプレート収納枠体１１内の一方向に押圧することでプレート収納枠体１１内に耐火物プレート４を保持させるプレート押圧体２４と、プレート収納枠体１１内においてプレート押圧体２４を前記一方向にのみ進退可能とするガイド手段１０Aと、を具備したことを特徴とするスライドゲート用プレートの取付け装置。【選択図】図１
2010162549.tif 000002
【特許請求の範囲】
【請求項１】
溶融金属収納鍋からの溶鋼の出鋼量を調整可能とするスライドゲートに配置される耐火物プレートの取付け装置であって、
前記耐火物プレートが収納されるプレート収納枠体と、
前記プレート収納枠体内に配置されて前記耐火物プレートを前記プレート収納枠体内の一方向に押圧することで前記プレート収納枠体内に前記耐火物プレートを保持させるプレート押圧体と、
前記プレート収納枠体内において前記プレート押圧体を前記一方向にのみ進退可能とするガイド手段と、を具備したことを特徴とするスライドゲート用プレートの取付け装置。
【請求項２】
前記ガイド手段は、前記プレート収納枠体或いは前記プレート押圧体に配置されたガイドピンと、前記ガイドピンが係合する前記プレート押圧体或いは前記プレート収納枠体に形成された前記一方向に延びるガイド溝と、を備える請求項１に記載のスライドゲート用プレートの取付け装置。
【請求項３】
前記ガイド手段は、前記プレート収納枠体或いは前記プレート押圧体に配置された前記一方向に延びるガイドロッドと、前記ガイドロッドが係合する前記プレート押圧体或いは前記プレート収納枠体に形成された前記一方向に延びるガイド穴と、を備える請求項１に記載のスライドゲート用プレートの取付け装置。
【請求項４】
前記ガイド溝は前記プレート押圧体の一端部側に形成され、前記ガイド穴は前記プレート押圧体の他端部側に形成される請求項２及び３に記載のスライドゲート用プレートの取付け装置。
【発明の詳細な説明】
【技術分野】
【０００１】
本発明は、収納鍋（タンディシュ或いはレードル等）の底部の出鋼口に装着されるスライドゲート用プレートの取付け装置に関するものである。
【背景技術】
【０００２】
タンディシュ或いはレードル等の収納鍋の底部に形成された出鋼口には、溶融金属の出鋼量を制御するためのスライドゲートが具備されている。図３は、収納鍋の底部に配置されたスライドゲートの基本構成を示したものである。すなわち、収納鍋の底部１−には、溶鋼の出鋼口１ａが設けられ、この出鋼口１ａには、中央に流出孔２ａを施した上ノズル２が取付けられている。また、上ノズル２の下端部には、流出孔３ａが設けられた上固定プレート３が取付けられ、さらにこの上固定プレート３の下方には、前記流出孔３ａとほぼ同径の流出孔４ａを備えたスライドプレート４が配置されている。
【０００３】
さらに、前記スライドプレート４の下方には、同じく流出孔５ａを備えた下固定プレート５が配置されており、この下固定プレート５の下方には、その中央部に溶鋼の流出孔６ａを備えた下ノズル６が取付けられている。そして、前記スライドプレート４は油圧シリンダー等のアクチェータまたはバネ（図示せず）により、上固定プレート３と下固定プレート５との間で、互いに圧着状態で矢印Ａ方向に摺動されるように構成されている。従って、前記中間のスライドプレート４を矢印Ａ方向に駆動し、各流出孔３ａ，４ａ，５ａを直線状に一致させることにより、溶鋼は下ノズル６に導入され、下ノズル６を介して連続的に鋳型等に対して溶鋼を鋳込むことができる。
【０００４】
なお、スライドプレ−ト４に下ノズル６を、各流出口４ａ、６ａを直線状に一致させた状態で直結した構造のスライドゲートもある。
【０００５】
ところで、スライドゲートを構成する前記各プレートは、特に溶鋼に対する損耗抵抗、耐磨耗性、耐熱性、耐熱衝撃性および熱間強度に優れた煉瓦等により構成されているが、繰り返しの摺動使用による損耗は避けられず、定期的にプレートを交換する作業を余儀無くされる。図４はスライドプレート４の交換が可能となるように成された従来のスライドゲート用プレートの取付け装置の一例を示したものである（特許文献１参照。）。
【０００６】
スライドプレート４は、長方形の隅角部が直線状に破断されて大略八角形状に成されており、このプレート４は略長方形状に形成された金属製のプレート収納枠体１１内に取付けられている。このプレート収納枠体１１は、長手方向の一端部（図の上端部）に油圧シリンダーの作動ロッド（図示せず）が結合される一対の連結体１１ａが突設されており、また長手方向の他端部（図の下端部）には、シャフト２１が回動可能に取り付けられている。
【０００７】
前記シャフト２１の収納枠体１１内に位置する先端部には、ネジ溝２１ｂが施されており、このネジ溝２１ｂは収納枠体１１内に配置された金属製の可動体２３に螺合されている。
【０００８】
前記可動体２３には、一対のプレート押圧体２４が首振り可能となるように取付けられている。前記可動体２３には断面形状がＴ字を成す頭状の連結部２３ｂが形成されており、またプレート押圧体２４には、断面形状がＴ字を成す溝状の連結部２４ａが形成されている。そして可動体２３における頭状の連結部２３ｂを、プレート押圧体２４における溝状の連結部２４ａに挿入することで、可動体２３に対して一対のプレート押圧体２４が連結されている。ここで、両者の連結状態において、可動体２３に形成された頭状の連結部２３ｂに対して、プレート押圧体２４に形成された溝状の連結部２４ａが若干の遊びが生ずるような寸法関係に成されており、これにより可動体２３に対して、一対のプレート押圧体２４が首振り可能となるように構成されている。
【０００９】
以上の構成において、前記プレート収納枠体１１の内側縁と、一対のプレート押圧体２４とで形成される空間部１１ｂに、図４に示すように耐火物プレート４を挿入し、シャフト２１を例えばスパナ等により一方向に回動させることで、可動体２３が収納枠体１１内を前進する。これに伴って一対のプレート押圧体２４の第１接触部２４ｂが耐火物プレート４に当接し、プレート４を収納枠体１１内に取付けることができる。
【先行技術文献】
【特許文献】
【００１０】
【特許文献１】特開平１０−２５８３５３号公報
【発明の概要】
【発明が解決しようとする課題】
【００１１】
従来のスライドゲート用プレートの取付け装置は、前記したようにプレート収納枠体１１内において一方向に進退可能となるように配置された可動体２３に対してプレート押圧体２４を首振り可能となるように取付けているので、プレート押圧体２４の先端が浮き上がり、プレート４の上面より上になると固定プレート３と当たって固定プレート３を傷つけ、あるいはプレート４の摺動が出来ない問題が発生する。
【００１２】
本発明は、上記の問題に鑑みてなされたものであり、プレート押圧体が浮き上がらず、プレートの摺動がスムーズに行われるスライドゲート用プレートの取付装置を提供することを課題とする。
【課題を解決するための手段】
【００１３】
上記の課題を解決するためになされた本発明のスライドゲート用プレートの取付け装置は、溶融金属収納鍋からの溶鋼の出鋼量を調整可能とするスライドゲートに配置される耐火物プレートの取付け装置であって、前記耐火物プレートが収納されるプレート収納枠体と、前記プレート収納枠体内に配置されて前記耐火物プレートを前記プレート収納枠体内の一方向に押圧することで前記プレート収納枠体内に前記耐火物プレートを保持させるプレート押圧体と、前記プレート収納枠体内において前記プレート押圧体を前記一方向にのみ進退可能とするガイド手段と、を具備したことを特徴とする
上記の取付装置において、前記ガイド手段は、前記プレート収納枠体或いは前記プレート押圧体に配置されたガイドピンと、前記ガイドピンが係合する前記プレート押圧体或いは前記プレート収納枠体に形成された前記一方向に延びるガイド溝と、を備えるものとするとよい。
【００１４】
また、前記ガイド手段は、前記プレート収納枠体或いは前記プレート押圧体に配置された前記一方向に延びるガイドロッドと、前記ガイドロッドが係合する前記プレート押圧体或いは前記プレート収納枠体に形成された前記一方向に延びるガイド穴と、を備えるものとしてもよい。
【００１５】
また、前記ガイド溝は前記プレート押圧体の一端部側に形成され、前記ガイド穴は前記プレート押圧体の他端部側に形成されるとよい。
【発明の効果】
【００１６】
プレート収納枠体内においてプレート押圧体を一方向にのみ進退可能とするガイド手段を具備しているので、プレート押圧体がガイド手段でガイドされて一方向に進退する。その結果、プレート押圧体が浮き上がったり、咬み込んだりすることがない。
【００１７】
ガイド手段がガイドピンとガイド溝を備えているので、プレート押圧体がガイド手段で確実にガイドされて一方向に進退する。その結果、プレート押圧体が浮き上がったり、咬み込んだりすることが確実になくなる。
【００１８】
ガイド手段がガイドロッドとガイド穴を備えているので、プレート押圧体がガイド手段で確実にガイドされて一方向に進退する。その結果、プレート押圧体が浮き上がったり、咬み込んだりすることが確実になくなる。
【００１９】
プレート押圧体の一端部側にガイド溝が形成され、他端部側にガイド穴が形成されているので、プレート押圧体の両端部側がガイドされる。その結果、プレート押圧体が浮き上がったり、咬み込んだりすることが一層なくなる。
【図面の簡単な説明】
【００２０】
【図１】本発明に係るスライドゲート用プレートの取付け装置を上から見た上面図である。
【図２】図１のＡ−Ａ線断面図である。
【図３】従来のスライドゲートの基本構成を示す断面図である。
【図４】図３に示すスライドゲートに用いられた従来のプレートの取付け装置の上面図である。
【発明を実施するための形態】
【００２１】
本発明を実施するための最良の形態を図面を参照して説明する。
【００２２】
なお、以下に説明する図１において、従来例として示した図４に現された部分に相当する部分は同一参照符号で示している。
【００２３】
図１は、プレート収納枠体に耐火物プレートを取付けた状態を上面から視た状態で示したものである。図２は、プレート収納枠体内においてプレート押圧体を前記一方向にのみ進退可能とするガイド手段を示す図１のＡ−Ａ線断面図である。
【００２４】
プレート収納枠体１１は、前記した図４と同様に長手方向の一端部（図の下端部）に油圧シリンダーの作動ロッド（図示せず）が結合される連結体１１ａが突設されている。
【００２５】
また、収納枠体１１の長手方向の一端部（図の下端部）には、連結体１１aを挟んで一対のねじ穴１１ｃが軸方向を収納枠体１１の長手方向に一致するように施されている。そしてこのねじ穴１１ｃには、ねじ２１が螺合されている。
【００２６】
ねじ２１の端部（図の上端部）にプレート押圧体２４の端部（図の下端部）が当接している。
【００２７】
また、収納枠体１１の長手方向と平行な両側部には、ガイドピン２５が軸方向が収納枠体１１の長手方向と直交する方向（図１の水平方向）を向き且つ収納枠体１１の内壁から突出するように打ち込まれている。
【００２８】
また、収納枠体１１の長手方向の一端部（図の下端部）には、連結体１１aを挟んで一対のガイドロッド２７が軸方向が収納枠体１１の長手方向を向き且つ収納枠体１１の内壁から突出するように打ち込まれている。
【００２９】
プレート押圧体２４には、耐火物プレート４の周側縁の一部に接触する第１接触部２４ｂと、プレート収納枠体１１内の一部に接触する第２接触部２４ｃと、が形成されている。そして、第１接触部２４ｂは耐火物プレート４に当接するために、耐火物プレート４の当接部端縁の形状に一致するようにほぼ直線状に形成されている。
【００３０】
また、プレート押圧体２４の第２接触部２４cには、ガイドピン２５が係合する断面コの字状のガイド溝２４dが収納枠体１１の長手方向に一致する方向に延在するように形成されている。
【００３１】
プレート押圧体２４の端部（図の下端部）には、ガイドロッド２７が嵌挿されるガイド穴２４eが形成されている。
【００３２】
ガイドピン２５がガイド溝２４dに係合することで、プレート押圧体２４が収納枠体１１の長手方向にのみ進退するので、ガイドピン２５とガイド溝２４dとで第１ガイド手段１０Aを構成する。
【００３３】
また、ガイドロッド２７がガイド穴２４eに係合することで、プレート押圧体２４が収納枠体１１の長手方向にのみ進退するので、ガイドロッド２７とガイド穴２４eとで第２ガイド手段１０Bを構成する。
【００３４】
以上の構成において、前記プレート収納枠体１１の内側縁と、一対のプレート押圧体２４とで形成される空間部１１ｂに、図１に示すように耐火物プレート４を挿入し、ねじ２１を例えばスパナ等により一方向に回動させることで、プレート押圧体２４が収納枠体１１内を前進する。これに伴って一対のプレート押圧体２４の第１接触部２４ｂが耐火物プレート４に当接し、プレート４を収納枠体１１内に取付けることができる。
【００３５】
この時、プレート押圧体２４のプレート収納枠体１１内に接触する第２接触部２４ｃがガイド手段１０Aで長手方向にガイドされる。同時に、プレート押圧体２４の下端部がガイド手段１０Bで長手方向にガイドされる。
【００３６】
したがって、プレート押圧体２４は、浮き上がったり咬み込んだりすることがない。その結果、耐火物プレート４に対する偏った締め付け圧力が加わるのを防止することができ、プレート４を収納枠体１１内に確実に固定することができる。
【符号の説明】
【００３７】
４・・・・・・・・ 耐火物プレート
１０A、１０B・・・ガイド手段
１１・・・・・・・プレート収納枠体
２４・・・・・・・プレート押圧体
２４d・・・・・ ガイド溝
２４e・・・・・ ガイド穴
２５・・・・・・・ガイドピン
２７・・・・・・・ガイドロッド
【図１】
2010162549.tif 000003
【図２】
2010162549.tif 000004
【図３】
2010162549.tif 000005
【図４】
2010162549.tif 000006